(57)【要約】【課題】ＩＣタグの技術を採用することで、写真プリント等の画像形成媒体の作成サービスに付加価値を生み出すことのできる情報記録システムを提供すること。【解決手段】シート状のペーパーにＩＣタグを付着させるタグ付着手段４０と、ＩＣタグに、そのペーパーに形成されている画像の被写体情報をタグ情報として記録させるためのタグ情報書き込み手段４１とが設けられている。好適には、画像は、顔画像を含む名刺画像であり、被写体情報は、撮影されている人物の個人情報である。好適には、ＩＣタグに記録すべき個人情報の項目を選択するための項目選択手段３３が設けられる。好適には、ＩＣタグに記録されているタグ情報を読み取るためのＩＣタグリーダ２９と、読み取ったタグ情報に基づいて、名刺画像を作成するためのデータを生成する画像合成部３０とを備えている。【選択図】図１
2006053671.tif 000002
【特許請求の範囲】
【請求項１】
シート状の画像形成媒体にＩＣタグを付着させるタグ付着手段と、
ＩＣタグに、その画像形成媒体に形成されている画像の被写体情報をタグ情報として記録させるためのタグ情報書き込み手段とが設けられていることを特徴とする情報記録システム。
【請求項２】
前記画像は、顔画像を含む名刺画像であり、前記被写体情報には、撮影されている人物の個人情報が含まれることを特徴とする請求項１に記載の情報記録システム。
【請求項３】
ＩＣタグに記録すべき個人情報の項目を選択するための項目選択手段が設けられることを特徴とする請求項２に記載の情報記録システム。
【請求項４】
ＩＣタグに記録されているタグ情報を読み取るためのタグ情報読み取り手段と、
読み取ったタグ情報に基づいて、名刺画像を作成するためのデータを生成する画像データ生成手段とを備えていることを特徴とする請求項１〜３のいずれか１項に記載の情報記録システム。
【請求項５】
前記被写体情報は、画像形成媒体に形成されている画像の画像データであることを特徴とする請求項１に記載の情報記録システム。
【請求項６】
シート状の画像形成媒体に付着されているＩＣタグ又は付着するべきＩＣタグに、その画像形成媒体に形成されている画像の被写体情報をタグ情報として記録させるためのタグ情報書き込み手段と、
ＩＣタグに記録すべきタグ情報を入力するタグ情報入力手段とが設けられていることを特徴とする情報記録システム。
【請求項７】
前記被写体情報は、画像形成媒体に形成されている画像の撮影場所の情報であることを特徴とする請求項６に記載の情報記録システム。
【発明の詳細な説明】
【技術分野】
【０００１】
本発明は、写真プリント等のシート状画像形成媒体に情報を記録するための情報記録システムに関するものである。
【背景技術】
【０００２】
写真プリント（シート状の画像形成媒体に相当）は、画像という形で過去の情報を記録して残すものである。従来から行われてきたように、現像済みネガフィルムのコマ画像を写真感光材料に焼付露光することで写真プリントを得ており、これをアルバムに貼り付けるなどしてプリントを管理し、多くの人に楽しまれてきている。また、アルバムに写真プリントを整理する時には、個々の写真プリントについて、そのプリント内容を説明するためのラベル（撮影年月日や写真の内容を簡単にメモ書きしたもの）もいっしょに貼り付けることもよく行われている。
【０００３】
また、近年におけるデジタル技術の進歩により、単にネガフィルムのコマ画像をプリントするだけでなく、これを他の情報と画像合成した写真プリントも容易に作成できるようになっている。例えば、年賀状やカレンダーなどのようなテンプレートを用いた画像合成は、最も一般的に行われているプリントサービスである。また、顔画像をプリントした名刺を写真プリントの形で出力できる写真処理装置も知られている。
【０００４】
一方、情報を記録する小型チップとしてＩＣタグが種々の産業分野で普及しつつある。ＩＣタグは、微小サイズのＩＣチップを搭載しており、ＩＣチップと共に搭載したアンテナを通じて情報の読み書きができるタグである。ＩＣタグは、小型であり、任意の情報を書き込むことができるので、写真プリントの分野でも、これを活用したプリントサービスを提供することができるものと考えられる。
【発明の開示】
【発明が解決しようとする課題】
【０００５】
本発明は上記実情に鑑みてなされたものであり、その課題は、ＩＣタグの技術を採用することで、写真プリント等の画像形成媒体の作成サービスに付加価値を生み出すことのできる情報記録システムを提供することである。
【課題を解決するための手段】
【０００６】
上記課題を解決するため本発明に係る情報記録システムは、
シート状の画像形成媒体にＩＣタグを付着させるタグ付着手段と、
ＩＣタグに、その画像形成媒体に形成されている画像の被写体情報をタグ情報として記録させるためのタグ情報書き込み手段とが設けられていることを特徴とするものである。
【０００７】
この構成によると、シート状の画像形成媒体の夫々は、ＩＣタグが付着される。このＩＣタグに、その画像形成媒体に形成されている被写体情報を記録させる。ＩＣタグを付着させるタイミングと、被写体情報を書き込むタイミングは、適宜設定することができ、いずれを先に行っても良い。あるいは、同時に行っても良い。被写体情報を記録させておくことで、記録されている被写体情報を読み出すことで、画像形成媒体に形成されている画像に関する情報を得ることができる。その結果、写真プリント等の画像形成媒体の作成サービスに付加価値を生み出すことのできる情報記録システムを提供することができる。
【０００８】
本発明において、前記画像は、顔画像を含む名刺画像であり、前記被写体情報には、撮影されている人物の個人情報が含まれることが好ましい。近年のデジタル技術の進歩により、画像形成媒体を用いて名刺を作成することもできる。名刺に顔画像を含ませると共に、ＩＣタグにその人物の個人情報を記録する。名刺には、一般的に、氏名、会社、電話番号、ＦＡＸ番号、所属部署、肩書きなどの種々の個人情報が記録されているが、これらの情報をＩＣタグに記録するだけでなく、それ以外の個人情報、例えば、自宅住所、受託電話番号、自宅ＦＡＸ番号、趣味、血液型といった通常名刺には印刷しないような情報も記録させることができる。これにより、単に名刺を画像形成媒体に形成するだけでなく、付加価値を与えることができる。
【０００９】
本発明において、ＩＣタグに記録すべき個人情報の項目を選択するための項目選択手段が設けられることが好ましい。上記のように、ＩＣタグには種々の個人情報を記録することができるが、そのうちの一部を選択してＩＣタグに記録することもできる。例えば、名刺に表示されない趣味、血液型等を、ＩＣタグに記録することができる。
【００１０】
本発明において、ＩＣタグに記録されているタグ情報を読み取るためのタグ情報読み取り手段と、
読み取ったタグ情報に基づいて、名刺画像を作成するためのデータを生成する画像データ生成手段とを備えていることが好ましい。
【００１１】
上記説明した名刺画像を形成する場合に、ＩＣタグを付着させておく名刺画像はサンプル名刺画像として扱うことができる。つまり、作成する名刺のすべてにＩＣタグを付着するのではなく、サンプルとして扱う名刺にのみＩＣタグを付着しておく。そして、このＩＣタグに記録されているタグ情報を読み取ることで、名刺画像を作成するためのデータを生成することができる。このデータを利用して、名刺画像を複製することができる。
【００１２】
本発明に係る被写体情報は、画像形成媒体に形成されている画像の画像データであることが好ましい。写真プリント等の画像形成媒体に形成されている画像をパソコン等の画面に表示させたいことがある。この場合、フラットベッドスキャナーを用いて画像を読み取るのは時間がかかり効率が悪い。そこで、ＩＣタグに画像データそのものを記録させておく。この画像データをＩＣタグリーダで読み取り、パソコン等に転送することで、画像形成媒体に形成されている画像をモニターに表示させることができる。
【００１３】
上記課題を解決するため本発明に係る別の情報記録システムは、
シート状の画像形成媒体に付着されているＩＣタグ又は付着するべきＩＣタグに、その画像形成媒体に形成されている画像の被写体情報をタグ情報として記録させるためのタグ情報書き込み手段と、
ＩＣタグに記録すべきタグ情報を入力するタグ情報入力手段とが設けられていることを特徴とするものである。
【００１４】
この構成によると、タグ情報書き込み手段により、ＩＣタグに画像の被写体情報を記録することができる。このＩＣタグは、画像形成媒体に付着されるものであるが、ＩＣタグを付着させるタイミングと、被写体情報を書き込むタイミングは、適宜設定することができ、いずれを先に行っても良い。あるいは、同時に行っても良い。また、この被写体情報を記録する場合は、タグ情報入力手段を介して入力させる。このような情報入力は、画像形成媒体を管理するユーザーサイド（例えば、画像形成媒体としての写真プリントの作成を依頼した顧客）において行うこともできる。このようなＩＣタグを画像形成媒体に付着させることで、画像管理の楽しみ方が増え、付加価値を増すことができる。
【００１５】
本発明に係る被写体情報は、画像形成媒体に形成されている画像の撮影場所の情報であることが好ましい。これにより、ＩＣタグから情報を読み取ることで、その画像がどこで撮影されたものであるかを知ることができる。
【発明を実施するための最良の形態】
【００１６】
本発明に係る情報記録システムが用いられる写真処理システムの好適な実施形態を図面を用いて説明する。図１は、写真処理システムの構成を示す概念図である。このシステムは、ネガフィルムやメディアからコマ画像を取得し、これに基づいて写真プリントを作成することができる。図１に示す写真処理システムは、一般的な写真プリントを作成することが主要な機能であるが、画像合成により特殊なプリントを作成することもできる。そのうちの、名刺プリントを作成する機能を中心に説明する。
【００１７】
＜写真処理システムの構成（名刺作成機能）＞
ペーパーマガジン１には、写真感光材料であるペーパー（シート状の画像形成媒体に相当）がロールＲの形態で収容されている。ペーパーマガジン１は、複数台を着脱自在に取り付けることができ、幅寸法の異なるペーパーをセットしておくことができる。いずれか一方のペーパーマガジン１からペーパーが引き出されていく。アドバンスローラ２は、ペーパーマガジン１から引き出された長尺状のペーパーを搬送経路に沿って下流側へ送り出す。ペーパーカッター３は、長尺状のペーパーを所定のプリントサイズにカットする。搬送経路には、ペーパーを搬送させるための多数のローラ等から構成される搬送装置が設けられている。
【００１８】
ＩＣタグ付着システム４は、ペーパーの裏面側にＩＣタグを取り付けるための装置である。ＩＣタグ付着システム４は、ＩＣタグを貼り付けるためのＩＣタグ貼り付け手段４０（タグ付着手段に相当）と、タグ情報をＩＣタグに書き込むためのタグ情報書き込み手段４１とを備えている。ＩＣタグには、ペーパーに画像を形成させるための種々の情報が書き込まれる。詳細は後述する。ＩＣタグは、名刺サイズにカットされた夫々のペーパーに対して貼り付けられる。ＩＣタグ貼り付け手段４０をペーパーの幅方向に沿って移動する機構（不図示）が設けられており、ペーパーの幅方向に沿って複数箇所にＩＣタグを貼り付けることができる。
【００１９】
画像露光装置５（画像形成手段に相当）は、ペーパーの乳剤面に画像を焼付露光するための装置である。画像データを受け取ると、これに基づいて走査露光を行うことで画像を露光形成する。露光エンジン６は、画像データに基づいて露光光を光変調して出力する装置であり、レーザーエンジン、ＰＬＺＴエンジン等が用いられる。搬送ローラ７ａ，７ｂは、走査露光を行うためにペーパーを一定速度で搬送させる。画像が焼付露光されたペーパーは、搬送ローラ群８により現像処理部９へと送り込まれる。現像処理されたペーパーは、乾燥処理部１０で乾燥された後、ペーパー排出部１１から仕上がり名刺プリントとして排出される。
【００２０】
名刺プリントを作成するためのオリジナル画像データ（顔画像のデータ）を取得するために、メディア画像入力部２０とフィルムスキャナー２１が設けられている。メディア画像入力部２０は、デジタルカメラの記憶媒体やＣＤ−Ｒ，ＭＯディスク等の種々のメディアから画像データを入力する機能を有する。フィルムスキャナーは、現像済みネガフィルム等の写真フィルムＦに形成されているコマ画像を読み取り、デジタルデータ化する。
【００２１】
画像データ記憶部２２は、入力された画像データを記憶する。入力された画像データは、画像処理部２３において画像処理がされた後、前述の画像露光装置５へと転送される。画像処理部２３において画像処理される内容は種々にわたり、そのうちの代表的なものとしては、色・濃度が適切にプリントされるような色・濃度の補正処理が一例としてあげられる。画像処理を行うために、プリント処理すべき画像はモニター２４に表示される。
【００２２】
画像合成部３０は、画像合成により合成された画像データを生成する機能を有する。名刺プリントを作成する場合、名刺画像を構成する顔画像データと項目データとを画像合成する。項目データとは、名刺に表示すべき氏名、会社名、住所等である。図２は、名刺プリントの構成例を示し、顔画像Ｍ１と項目Ｍ２とが表示されている。
【００２３】
テンプレート保存部３１には、名刺画像を生成するためのテンプレートデータが保存されており、複数種類のテンプレートデータが保存されている。このテンプレートデータにより、顔画像をどの位置に嵌め込むか、各項目をどの場所にどのような文字サイズで嵌め込むか等が規定されている。このテンプレートデータに基づいて名刺プリントを作成するための名刺画像データを生成できる。また、名刺プリントを作成する場合、１枚の写真プリントの中に複数枚の名刺画像が形成される。何枚分の名刺画像を合成するかについても、同様に規定されている。
【００２４】
項目リスト保存部３２には、名刺に表示可能な項目リストが個人ごとに保存されている。項目入力手段３３については、各個人についての表示可能項目について入力することができる。項目の内容に修正事項が生じた場合に修正することもできる。例えば、転勤等で部署異動があった場合である。図３は、その項目リストのモニター画面表示例を示す。ここに示される項目は、個人情報に相当するものである。
【００２５】
項目選択手段３４は、図３に示す各項目のうち、選択された項目について名刺画像としてのプリントやＩＣタグへの記録をすることができる。例えば、図３において、Ａ列のチェックボックスで選択した項目は、名刺画像としてプリントさせることができる。Ｂ列のチェックボックスで選択した項目は、ＩＣタグに記録することができる。なお、Ａ列とＢ列とで項目が重なっていてもよい。
【００２６】
画像合成部３０では、項目選択手段３４により選択されたＡ列の項目データと、画像データ記憶部２２に記憶されている顔画像データとを画像合成することで、名刺画像データを生成することができる。画像データ記憶部２２から読み出してくる画像データに、顔画像以外の背景画像が含まれる場合は、トリミング等を施すことで、顔画像のみを切り出すことができる。項目データ転送部３５は、図３のＢ列で選択された項目データをＩＣタグ付着システム４へと転送する。この項目データは、ペーパーに貼り付けられるＩＣタグに記録される。
【００２７】
制御装置２７は、ペーパーを搬送させる搬送装置と、ＩＣタグ付着システム４とを制御する。制御装置２７は、ペーパー裏面の適切な位置にＩＣタグが貼り付けられるように、制御を行う。画像データ転送部２８は、画像処理部２３により画像処理された画像データが、露光エンジン６へ転送される。
【００２８】
図４は、ＩＣタグをペーパー裏面に貼り付ける時の様子を示す図である。ＩＣタグは、近年において種々の産業分野で利用されている。ＩＣタグは、大きさが１ｍｍ角以下のＩＣチップを備えており、無線電波でデータの書き込み・読み出しを行うことができる。バッテリを搭載しないタイプであれば、小型化することができ、名刺プリントに貼り付けるには問題のないサイズである。
【００２９】
ＩＣタグ貼り付け手段４０は、プリント裏面にＩＣタグを貼り付ける機能を有し、図４に示すように、細長いテープ状のベースフィルム４０ａに所定間隔でＩＣタグＴが取り付けられている。テープの表面には、粘着材や接着剤が予め塗布されている。ＩＣタグＴの周囲には、切り込み線４０ｂが入れられている。従って、ベースフィルム４０ａをペーパー裏面に押し付けることで、ＩＣタグＴを切り込み線４０ｂの内側のエリアと共に、プリント裏面に貼り付けることができる。ベースフィルム４０ａは、不図示の駆動機構により定尺送りがなされる。使用済みのベースフィルム４０ａは、巻き取りローラに巻き取られていく。ＩＣタグが貼り付けられると、タグ情報書き込み手段４１により情報が書き込まれる。書き込まれる情報は、補正データ転送部２６を介して転送されてきた補正データを含むデータである。補正データ以外にも、そのＩＣタグＴが貼り付けされるペーパーに焼付露光される画像の画像ファイルを特定するためのデータ、オーダーを管理するためのデータ、その他、顧客データ等を書き込むこともできる。
【００３０】
なお、ＩＣタグを貼り付ける方法（タグを付着させるための形態）は、本実施形態に限定されるものではなく、種々の変形例が考えられる。ＩＣタグの貼り付け位置も種々の変形例が考えられる。また、ＩＣタグは、ペーパーの裏面ではなく、表面に貼り付けてもよい。ＩＣタグにタグ情報を書き込むタイミングは、ＩＣタグをペーパーに貼り付けるのと同時でもよいし、貼り付けに前後してもよい。
【００３１】
＜名刺プリントの作成手順＞
次に、名刺プリントを作成する場合の手順を説明する。図５は、名刺画像データを生成するときのフローチャート、および、プリント処理の手順を示すフローチャートである。まず、個人情報の項目データを入力する（＃１）。次に、入力された項目のうち、名刺として表示させる項目と、ＩＣタグに記録する項目とを選択する（＃２）。これらは図３に例示した通りである。これらの項目データは、項目リスト保存部３２に保存される。また、１枚の写真プリントに形成すべき名刺画像の数も設定できる。一方、名刺としてプリントすべき顔画像の画像データを入力する（＃４）。入力された画像データは、画像データ記憶部２２に一旦保存される（＃５）。
【００３２】
選択された項目データと、顔画像データとを用いて画像合成部３０において画像合成を行い、名刺画像データを生成する（＃６）。画像合成部３０で画像合成された画像データは、画像処理部２３にて画像処理される（＃７）。例えば、色・濃度が適切となるように補正データの入力等が行われ、最終的にプリント作成のために用いられる画像データが作成される。このプリント用画像データは、画像データ転送部２８を介して露光エンジン６へと転送される。一方、選択された項目データについては、項目データ転送部３５を介してＩＣタグ付着システム４へと転送される。
【００３３】
次にプリント処理の手順を説明する。まず、ペーパーマガジン１からペーパーを引き出していく（＃１１）。ペーパーは、ペーパーカッター３によりプリントサイズに切断される（＃１２）。切断されたペーパーは、ＩＣタグ付着システム４へと送り込まれ、ＩＣタグがペーパー裏面に貼り付けられる（＃１３）。１枚のペーパー裏面に貼り付けられるＩＣタグの数は、形成される名刺画像の数と同じである。また、この貼り付けと同時あるいは前後して、ＩＣタグにステップ＃９にて転送されてきた項目データがタグ情報として書き込まれる（＃１４）。１枚の写真プリントに複数のＩＣタグが貼り付けられる場合、夫々のＩＣタグに対してタグ情報が書き込まれる。
【００３４】
ＩＣタグが貼り付けられた各ペーパーは、画像露光装置５へと送り込まれ、露光エンジン６により画像が焼付露光される（＃１５）。露光エンジン６は、ステップ＃８において転送されてきた画像データに基づいて、ペーパーの乳剤面に名刺画像を焼付露光する。このペーパーは、現像処理および乾燥処理が施された後、装置外部に排出される（＃１６，１７）。
【００３５】
排出された写真プリントには、複数の名刺画像が形成されているので、これを個々に切断する必要がある。すなわち、図２に示すような名刺画像が複数枚合成された状態で排出される。これを切断するために、不図示の専用カッターが設けられる。個々の名刺への切り分けは、作業者が手動で作業を行ってもよいし、フォーマットデータに基づいて、自動的に切断するような構成を採用してもよい。個々の名刺画像を切り離すことにより、図２に示すような名刺プリントを作成することができる。
【００３６】
＜第２実施形態に係る写真処理システム＞
前述した第１実施形態では、作成する名刺プリントの夫々にＩＣタグを貼り付ける。一般的に、名刺を印刷する場合は、同じ名刺をまとめて注文する（例えば、１００枚といった単位で）。第１実施形態においても、同じ名刺プリントを１００枚作成する場合は、その１００枚の名刺プリントの夫々にＩＣタグが貼り付けられる。従って、名刺プリントを受け取ったものは、ＩＣタグリーダを持っていれば、ＩＣタグに記録されている個人情報を読み取ることができる。
【００３７】
かかる構成に代えて、ＩＣタグを貼り付ける名刺プリントは１枚だけとすることもできる。ＩＣタグを貼り付けた名刺プリントは、サンプル名刺として管理する。名刺プリントを増刷する場合は、ＩＣタグに記録されているタグ情報に基づいて、名刺プリントを複製することができる。かかるシステム構成を図６により説明する。図１と同じ機能を有するブロックには、同じ図番を付しており、異なる機能のみを説明する。
【００３８】
項目データ転送部３５は、項目データだけでなく、名刺プリントとしてプリントされる顔画像データもいっしょに転送する。すなわち、 ＩＣタグには、項目データと顔画像データの両方が記録される。また、ＩＣタグが貼り付けられるのは、サンプル名刺のみである。
【００３９】
ＩＣタグリーダ２９（タグ情報読み取り手段に相当）は、サンプル名刺に貼り付けられているＩＣタグに記録されているタグ情報を読み取る。タグ情報解析手段３６は、読み取ったタグ情報の内容を解析する。顔画像データ抽出部３７は、タグ情報に含まれている顔画像データを抽出する。項目データ抽出部３８は、タグ情報に含まれる項目データ（個人情報）を抽出する。これらの抽出されたデータに基づいて、画像合成部３０では、画像合成を行い同じ名刺プリントを複製することができる。なお、項目データや顔画像データについて修正や差し替えを行うこともできる。修正や差し替えを行った場合は、新たにサンプル名刺を作成する。
【００４０】
＜ＩＣタグ情報から名刺プリントを作成する手順＞
次に、サンプル名刺を用いて、同じ名刺プリントを複製する場合の処理手順を図７のフローチャートにより説明する。まず、サンプル名刺に貼り付けられているＩＣタグに記録されているタグ情報をＩＣタグリーダ３６により読み取る（＃２１）。このタグ情報に含まれている顔画像データと項目データを抽出する（＃２２，２３）。これらのデータについて修正等が必要であれば、データの修正を行う（＃２５）。必要なければ、顔画像データと項目データとを用いて画像合成が行われる（＃２６）。得られた合成画像データについて画像処理が施された後（＃２７）、画像データ転送部２８を介して画像データが露光エンジン６に転送される（＃２８）。これにより、名刺プリントの作成処理がなされる（＃２９）。なお、サンプル名刺を作成する場合以外は、項目データ転送部３５から項目データや画像データが転送されることはない。
【００４１】
図６に示す実施形態の変形例を説明する。タグ情報として顔画像データを記録しておくのではなく、顔画像データを特定するための識別情報を記録しておいてもよい。例えば、顔画像データを画像データ記憶部２２に記憶する場合に、そのファイル名で特定することができる。従って、そのファイル名をタグ情報として記録しておけば、顔画像データを読み出すことができる。もちろん、ファイル名以外の識別情報を用いてもよい。
【００４２】
＜第３実施形態に係る写真処理システム＞
次に第３実施形態に係る写真処理システムを図８により説明する。第１・第２実施形態では、名刺プリントを作成する構成例を説明した。タグ情報として記録されるのは、画像の被写体情報（顔画像データや項目データ）であった。名刺プリントではなく、一般的な写真プリントの場合にも、被写体情報をＩＣタグに記録させておくことができる。被写体情報としては、写真プリントとしてプリントされている画像全体を記録することができる。
【００４３】
これまでの実施形態とは異なる点を中心に説明する。画像処理部２３において画像処理が施されると、プリント用画像データは、第１画像データ転送部２８を介して露光エンジン６に転送される。この画像データを用いて、写真プリントが作成される。また、画像データをＩＣタグに記録するために、第２画像データ転送部４４を介して画像データがＩＣタグ付着システム４へと転送される。ただし、プリント用画像データは情報量が多いので、圧縮処理部４３が設けられており、データ圧縮された形（ＪＰＥＧ，ＧＩＦＦ等）で転送される。以上の構成によれば、写真プリントの裏面にＩＣタグを貼り付け、そのＩＣタグにプリントされる画像の画像データを記録させることができる。
【００４４】
図９は、画像データを記録したＩＣタグを貼り付けた場合の利用方法を説明する図である。図９（ａ）において、写真プリントの裏面に貼り付けられたＩＣタグの情報をＩＣタグリーダ４５で読み取り、このＩＣタグリーダ４５が接続されたパソコン４６のモニター画面４６ａに表示させることができる。写真プリントの画像をフラットベッドスキャナーで読み取るよりも、簡単な方法で画像をパソコン内に取り込むことができる。
【００４５】
図９（ｂ）は、他の方法によりパソコンに取り込む方法を説明する図である。携帯電話４７（あるいは、ＰＤＡ等の携帯機器）にＩＣタグリーダを内蔵させることで、携帯電話４７内に画像データを取り込むことができる。取り込んだ画像データは、インターネット等のネットワーク経由で他のパソコン４６にデータを配信することができる。
【００４６】
＜他の実施形態１＞
更に別の実施形態を説明する。ＩＣタグに記録できる被写体情報としては、写真に写っている人物の氏名、住所、電話番号、年齢、誕生日等の個人情報であってもよい。特に多人数の被写体が集合して撮影された写真において有益となる。個人情報のＩＣタグへの書き込みは、写真店で行ってもよいし、写真プリントを受け取った顧客が自宅で行うようにしてもよい。かかる写真の内容を説明するような情報は、従来はラベルに情報を手書きした上で、アルバムに写真プリントと一緒に貼り付けていたものであるが、ＩＣタグに記録することで、より多くの情報を記録できるようになる。また、アルバム管理の楽しみも増え、写真プリントに対する付加価値を生み出すことができる。ＩＣタグへの情報の記録は、ＩＣタグを写真プリントに貼り付ける前でもよいし、後でも良い。
【００４７】
ＩＣタグを予め写真プリントに貼り付ける場合は、図１に示すようなシステム構成を用いることができる。この場合、ＩＣタグは、単に貼り付けるだけでもよいし、写真店で必要なデータを記録してもよい。例えば、色・濃度の補正データ等をＩＣタグに記録してもよい。この場合は、ＩＣタグの未使用の記憶エリアを使用して、個人情報を書き込むことができる。
【００４８】
＜他の実施形態２＞
図１０は、更に別の実施形態を示す図である。この例では、ＩＣタグＴには、その写真が撮影された場所のデータ（被写体情報に相当）が記録される。場所データを記録するタイミングについては、＜他の実施形態１＞と同様にすることができる。ＩＣタグリーダ４５により、ＩＣタグＴに記録さている場所データを読み取ることができる。撮影場所データ抽出部４８は、タグ情報の中に含まれている場所データを抽出する機能を有する。ナビゲーションシステム４９は、抽出された場所データを読み込むことで、モニター画面５０に実際のその位置情報を表示させることができる。位置情報は、地図の形で表示させることもできる。これにより、その写真が撮影された場所に実際に行くことができる。
【００４９】
＜他の実施形態３＞
更に別の実施形態を説明する。ＩＣタグに記録できる個人情報として、定期券に関する情報を記録することができる。すなわち、 本写真処理システムで作成した写真プリントを定期券として使用することができる。ＩＣタグの貼り付けは、定期券の販売元で行うことができる。定期券を購入する者は、自分の好みの写真プリントを定期券販売元に持っていくことで、オリジナルの画像で作成された定期券を作成することができる。また、ＩＣタグを複数個貼り付けることで、複数の定期券を１枚にまとめることができる。例えば、バスと電車の定期券を１つにできる。あるいは、会社Ａと会社Ｂの定期券を１つにすることができる。定期券ではなく、任意のプリペイドカードについても応用できる。定期券やプリペイドカードとして使用する場合には、写真プリントの表面にラミネート等の耐久処理を施すことが好ましい。
【００５０】
＜他の実施形態４＞
本実施形態では、写真感光材料を現像処理して写真プリント（シート状の画像形成媒体）を作成するシステムについて説明したが、インクジェットプリンタのような現像処理液を使用しないでプリントを作成するシステムの場合にも、本発明を応用することができる。
【００５１】
ＩＣタグ付着システム４の配置について、本実施形態では、画像露光装置５の上流側に配置しているが、これに限定されるものではなく、例えば、画像露光装置５よりも下流側に配置してもよい。
【００５２】
ＩＣタグをペーパー裏面や表面に付着する構成を示したが、何れの実施形態においても、どちら側に貼り付けてもよい。ＩＣタグは、小さなサイズであるから、表面に付着したとしても、写真プリントの見栄えを損ねることはない。
【００５３】
本実施形態において、ＩＣタグ貼り付け手段４０がペーパー幅方向に沿って移動する構成を説明したが、これに代えて、ペーパー幅方向に沿って複数のＩＣタグ貼り付け手段を配置してもよい。配置個数は、任意に設定することができる。
【００５４】
本実施形態において、ペーパーに対するＩＣタグの付着は、ペーパーをプリントサイズに切断した後に行っているが、プリントサイズに切断する前に行っても良い。例えば、ペーパー製造工程でＩＣタグを予め付着させておくことができる。あるいは、ペーパーがペーパーマガジンから引き出されてペーパーカッターに至るまでの搬送工程の途中で付着させることができる。この場合、プリントサイズのデータと、ペーパーの搬送量のデータに基づいて、プリントサイズに切断されるペーパーの個々にＩＣタグが付着できるようにすることができる。あるいは、ペーパーに設けられたカットマークに基づいて、ＩＣタグを付着させてもよい。
【００５５】
種々の実施形態の構成を説明してきたが、いくつかの実施形態の構成を組み合わせてシステムを構成することもできる。任意の実施形態と他の任意の実施形態を組み合わせて、新たに別の実施形態のシステムを構成することも可能である。
【図面の簡単な説明】
【００５６】
【図１】写真処理システムの構成を示す概念図
【図２】名刺プリントの作成例を示す図
【図３】項目入力画面の構成例を示す図
【図４】ＩＣタグをペーパー裏面に貼り付けるときの様子を示す図
【図５】名刺プリントを作成するまでの手順を示すフローチャート
【図６】第２実施形態に係る写真処理システムの構成を示す概念図
【図７】サンプル名刺を用いて名刺プリントを作成するときの手順を示すフローチャート
【図８】第３実施形態に係る写真処理システムの構成を示す概念図
【図９】ＩＣタグに記録された画像データをパソコンに取り込む方法を説明する図
【図１０】ＩＣタグに記録された場所データをパソコンに取り込み表示させる方法を説明する図
【符号の説明】
【００５７】
４        ＩＣタグ付着システム
５        画像露光装置
６        露光エンジン
９        現像処理部
１０      乾燥処理部
１１      ペーパー排出部
２０      メディア画像入力部
２１      フィルムスキャナー
２２      画像データ記憶部
２３      画像処理部
２４      モニター
２７      制御装置
２８      画像データ転送部
２９      ＩＣタグリーダ
３０      画像合成部
３１      テンプレート保存部
３２      項目リスト保存部
３３      項目入力手段
３４      項目選択手段
３５      項目データ転送部
３６      タグ情報解析手段
３７      顔画像データ抽出部
３８      項目データ抽出部
４０      ＩＣタグ貼り付け手段
４１      タグ情報書き込み手段
４３      圧縮処理部
４４      第２画像データ転送部
４５      ＩＣタグリーダ
Ｔ        ＩＣタグ
【図１】
2006053671.tif 000003
【図２】
2006053671.tif 000004
【図３】
2006053671.tif 000005
【図４】
2006053671.tif 000006
【図５】
2006053671.tif 000007
【図６】
2006053671.tif 000008
【図７】
2006053671.tif 000009
【図８】
2006053671.tif 000010
【図９】
2006053671.tif 000011
【図１０】
2006053671.tif 000012